(57)【要約】【課題】  携帯電話の表示画面のサイズの問題を解決するためにディスプレイ型眼鏡（メガネ）（度数なしも含む）と連携，連動することになるが、その際の表示画面の操作方法を提供する。【解決手段】  携帯電話（１）の表示部がディスプレイ型の眼鏡（メガネ）（度数なしも含む）と連動する際のマウス機能を携帯電話（１）の前面（２）または、側面（３）、または、背面（４）、または、それぞれの組み合わせの一体型で配置しそのマウスを操作することで、メガネに映し出された表示画面を操作し、目的を達成することを特徴とする。【選択図】    図１
2005073214.tif 000002
【特許請求の範囲】
【請求項１】
携帯電話（１）の前面（２）にマウス機能を有するもの。
【請求項２】
携帯電話（１）の側面（３）にマウス機能を有するもの。
【請求項３】
携帯電話（１）の背面（４）にマウス機能を有するもの。
【請求項４】
携帯電話（１）の前面（２）側面（３）に一体型のマウス機能を有するもの。
【請求項５】
携帯電話（１）の前面（２）側面（３）背面（４）に一体型のマウス機能を有するもの。
【請求項６】
携帯電話（１）の前面（２）背面（４）に一体型のマウス機能を有するもの。
【請求項７】
携帯電話（１）のディスプレイ型眼鏡（メガネ）（度数がないものも含む）のメガネ内に映し出された表示画面を操作するためのマウス機能を携帯電話（１）の前面（２）に装備した携帯電話。
【請求項８】
携帯電話（１）のディスプレイ型眼鏡（メガネ）（度数がないものも含む）のメガネ内に視覚的に映し出された表示画面を操作するためのマウス機能を携帯電話（１）の側面（３）に装備した携帯電話。
【請求項９】
携帯電話（１）のディスプレイ型眼鏡（メガネ）（度数がないものも含む）のメガネ内に視覚的に映し出された表示画面を操作するためのマウス機能を携帯電話（１）の背面（４）に装備した携帯電話。
【請求項１０】
携帯電話（１）のディスプレイ型眼鏡（メガネ）（度数がないものも含む）のメガネ内に視覚的に映し出された表示画面を操作するためのマウス機能を携帯電話（１）の前面（２）と側面（３）に一体型に装備した携帯電話。
【請求項１１】
携帯電話（１）のディスプレイ型眼鏡（メガネ）（度数がないものも含む）のメガネ内に視覚的に映し出された表示画面を操作するためのマウス機能を携帯電話（１）の前面（２）と側面（３）と背面（４）に一体型に装備した携帯電話。
【請求項１２】
携帯電話（１）のディスプレイ型眼鏡（メガネ）（度数がないものも含む）のメガネ内に視覚的に映し出された表示画面を操作するためのマウス機能を携帯電話（１）の前面（２）と背面（４）に一体型に装備した携帯電話。
【請求項１３】
携帯電話（１）のディスプレイ型眼鏡（メガネ）（度数がないものも含む）のメガネ内に視覚的に映し出された表示画面を操作するためのマウス機能を携帯電話（１）の前面（２）に装備した機能。
【請求項１４】
携帯電話（１）のディスプレイ型眼鏡（メガネ）（度数がないものも含む）のメガネ内に視覚的に映し出された表示画面を操作するためのマウス機能を携帯電話（１）の側面（３）に装備した機能。
【請求項１５】
携帯電話（１）のディスプレイ型眼鏡（メガネ）（度数がないものも含む）のメガネ内に視覚的に映し出された表示画面を操作するためのマウス機能を携帯電話（１）の背面（４）に装備した機能。
【請求項１６】
携帯電話（１）のディスプレイ型眼鏡（メガネ）（度数がないものも含む）のメガネ内に視覚的に映し出された表示画面を操作するためのマウス機能を携帯電話（１）の前面（２）と側面（３）に一体型に装備した機能。
【請求項１７】
携帯電話（１）のディスプレイ型眼鏡（メガネ）（度数がないものも含む）のメガネ内に視覚的に映し出された表示画面を操作するためのマウス機能を携帯電話（１）の前面（２）と側面（３）と背面（４）に一体型に装備した機能。
【請求項１８】
携帯電話（１）のディスプレイ型眼鏡（メガネ）（度数がないものも含む）のメガネ内に視覚的に映し出された表示画面を操作するためのマウス機能を携帯電話（１）の前面（２）と背面（４）に一体型に装備した機能。
【発明の詳細な説明】
【発明の詳細な説明】
【技術分野】
【０００１】  この発明は、ディスプレイ表示部眼鏡（メガネ）（度数のないものも含む）兼用型またはディスプレイ表示部眼鏡眼鏡（メガネ）（度数のないものも含む）専用型携帯電話に関するものである。
【背景技術】
【０００２】  現在、携帯電話のディスプレイ表示部は、多少の大小はあるにせよ、画面のサイズは似たりよったりである。
【発明が解決しようとする課題】
【０００３】これには、次のような欠点があった。
（イ）  ディスプレイ表示部が小さすぎるため、充分な表現力が演出できない。
（ロ）  目的とする機能を実現するためには、ディスプレイ表示領域が弊害となり、制限せざるをえなかった。
（ハ）  インターネットを見たり、その他、ソフトをパソコン感覚で操作することはできない。
【課題を解決するための手段】
【０００４】  携帯電話の画面表示部をディスプレイ型メガネ（度数がないものも含む）にすることにより、この問題は解決される。
将来的に携帯電話の表示画面部は、ディスプレイ型の眼鏡（メガネ）（度数なしも含む）が主流なり、とってかわることになる。
そして、その画面の操作は携帯電話（１）の本体に設けられたマウス機能を利用しておこなう。
本発明は以上のような構成によりなる携帯電話である。
【発明を実施するための最良の形態】
【０００５】（イ）携帯電話（１）の表示部がディスプレイ型の眼鏡（メガネ）（度数なしも含む）と連動する際のマウス機能を携帯電話（１）の前面（２）に配置しそのマウスを操作することで、メガネに映し出された表示画面を操作し、目的を達成する。
（ロ）携帯電話（１）の表示部がディスプレイ型の眼鏡（メガネ）（度数なしも含む）と連動する際のマウス機能を携帯電話（１）の側面（３）に配置しそのマウスを操作することで、メガネに映し出された表示画面を操作し、目的を達成する。
（ハ）携帯電話（１）の表示部がディスプレイ型の眼鏡（メガネ）（度数なしも含む）と連動する際のマウス機能を携帯電話（１）の背面（４）に配置しそのマウスを操作することで、メガネに映し出された表示画面を操作し、目的を達成する。
（ニ）携帯電話（１）の表示部がディスプレイ型の眼鏡（メガネ）（度数なしも含む）と連動する際のマウス機能を携帯電話（１）の前面（２）と側面（３）一体型に配置しそのマウスを操作することで、メガネに映し出された表示画面を操作し、目的を達成する。
（ホ）携帯電話（１）の表示部がディスプレイ型の眼鏡（メガネ）（度数なしも含む）と連動する際のマウス機能を携帯電話（１）の前面（２）と背面（４）一体型に配置しそのマウスを操作することで、メガネに映し出された表示画面を操作し、目的を達成する。
（ヘ）携帯電話（１）の表示部がディスプレイ型の眼鏡（メガネ）（度数なしも含む）と連動する際のマウス機能を携帯電話（１）の前面（２）と側面（３）と背面（４）一体型に配置しそのマウスを操作することで、メガネに映し出された表示画面を操作し、目的を達成する。
【発明の効果】
【０００６】  本発明は以上のようなしくみで表示部メガネ型（度数なしも含む）携帯電話を操作する。
これにより、依然の携帯電話とはくらべものにならないくらい表示画面の操作性が向上する。
【図面の簡単な説明】
【０００７】
【図１】本発明の斜視図である。
【図２】本発明の斜視図である。
【図３】本発明の斜視図である。
【符号の説明】
【０００８】１  携帯電話      ２  前面      ３  側面      ４  背面
【図１】
2005073214.tif 000003
【図２】
2005073214.tif 000004
【図３】
2005073214.tif 000005